(57)【特許請求の範囲】
【請求項１】
本体と、
この本体内にダンパーを介して支持されたベースと、
このベースに設けられ、チャッキング時にディスクをチャッキングし、チャッキング解除時にディスクのチャッキングを解除するディスクチャック機構と、
ローディングローラを支持して前記ベースに回動可能に取り付けられ、チャッキング時にローディングローラをディスクとの離反位置に移動させ、チャッキング解除時にローディングローラをディスクとの接触位置に移動させるとともに前記本体に当接して前記ベースを前記本体に係止するローディングローラ支持体を有するディスクローディング機構とを具備したディスクローディング装置において、
前記本体は、一面側に第１の受部およびこの一面側と反対の他面側に第２の受部を有し、
前記ディスクチャック機構は、前記ベースに回動可能に取り付けられ、チャッキング時にディスクをチャッキングし、チャッキング解除時にディスクのチャッキングを解除するとともにディスクのローディング方向に対して交差する方向で互いに離反した２箇所の当接部が前記本体の第１の受部に当接して前記ベースを前記本体に係止するチャック体を有し、
前記ローディングローラ支持体は、チャッキング解除時にディスクのローディング方向に対して交差する方向で互いに離反した２箇所の当接部が前記本体の第２の受部に当接して前記ベースを前記本体に係止し、
前記チャック体の２箇所の当接部と前記ローディングローラ支持体の２箇所の当接部との内側間で前記本体および前記ローディングローラ支持体のいずれか一方にガイドピンが設けられ、
前記チャック体の２箇所の当接部と前記ローディングローラ支持体の２箇所の当接部との内側間で前記本体および前記ローディングローラ支持体のいずれか他方に、チャッキング解除時に前記ガイドピンと係合して前記本体に対する前記ベースのディスク面と平行な方向の位置を位置決め係止する係合部が設けられている
ことを特徴とするディスクローディング装置。
【発明の詳細な説明】
【０００１】
【発明の属する技術分野】
本発明は、本体内にダンパーを介してフローティング状態に支持されるベース上にディスクをローディングするディスクローディング装置に関する。
【０００２】
【従来の技術】
従来、例えば、音楽再生用のコンパクトディスクなどのディスクプレーヤでは、本体内にダンパーを介してピックベースがフローティング状態に支持され、このピックベースにディスクローディング機構、ディスクチャック機構およびピックアップ機構などが配設されている。そして、ディスク再生中はピックベースがダンパーで支持されたフローティング状態とされるが、ディスクローディングの際はピックベースのフローティング状態を固定しなければ、ディスクと本体の挿入口の位置とが決まらないため、ピックベースを本体にロックするフローティングロック機構を備えている。
【０００３】
従来のフローティングロック機構では、例えば、ピックベース側にロックピンが設けられ、本体側にロックピンが挿通される孔およびこの孔に連通するロック溝を有するスライダが設けられ、このスライダの移動によりロックピンに対して孔からロック溝が係合することで、フローティング状態のピックベースを本体にロックしている。
【０００４】
【発明が解決しようとする課題】
しかしながら、従来の構成では、フローティング状態のピックベースを本体にロックするために、ロックピンやスライダを必要とするとともにこのスライダを移動させる機構を含めて、専用のフローティングロック機構が別途必要になり、装置全体が複雑な機構になる問題がある。
【０００５】
また、突出したロックピンの周囲にピックベースのフローティングを許容するスペースを設ける必要があり、そのスペース確保のために装置全体が大きくなる問題がある。
【０００６】
本発明は、このような点に鑑みなされたもので、専用のフローティングロック機構が必要なく、本体内にフローティング状態に支持されるベースを簡単な構成で係止できるディスクローディング装置を提供することを目的とする。
【０００７】
【課題を解決するための手段】
請求項１記載のディスクローディング装置は、本体と、この本体内にダンパーを介して支持されたベースと、このベースに設けられ、チャッキング時にディスクをチャッキングし、チャッキング解除時にディスクのチャッキングを解除するディスクチャック機構と、ローディングローラを支持して前記ベースに回動可能に取り付けられ、チャッキング時にローディングローラをディスクとの離反位置に移動させ、チャッキング解除時にローディングローラをディスクとの接触位置に移動させるとともに前記本体に当接して前記ベースを前記本体に係止するローディングローラ支持体を有するディスクローディング機構とを具備したディスクローディング装置において、前記本体は、一面側に第１の受部およびこの一面側と反対の他面側に第２の受部を有し、前記ディスクチャック機構は、前記ベースに回動可能に取り付けられ、チャッキング時にディスクをチャッキングし、チャッキング解除時にディスクのチャッキングを解除するとともにディスクのローディング方向に対して交差する方向で互いに離反した２箇所の当接部が前記本体の第１の受部に当接して前記ベースを前記本体に係止するチャック体を有し、前記ローディングローラ支持体は、チャッキング解除時にディスクのローディング方向に対して交差する方向で互いに離反した２箇所の当接部が前記本体の第２の受部に当接して前記ベースを前記本体に係止し、前記チャック体の２箇所の当接部と前記ローディングローラ支持体の２箇所の当接部との内側間で前記本体および前記ローディングローラ支持体のいずれか一方にガイドピンが設けられ、前記チャック体の２箇所の当接部と前記ローディングローラ支持体の２箇所の当接部との内側間で前記本体および前記ローディングローラ支持体のいずれか他方に、チャッキング解除時に前記ガイドピンと係合して前記本体に対する前記ベースのディスク面と平行な方向の位置を位置決め係止する係合部が設けられているものである。
【０００８】
そして、チャッキング時にディスクをチャッキングするチャック体が、チャッキング解除時にディスクのチャッキングを解除するとともに本体の第１の受部に当接してベースを本体に係止し、かつ、チャッキング時にローディングローラをディスクとの離反位置に移動させるローディングローラ支持体が、チャッキング解除時にローディングローラをディスクとの接触位置に移動させるとともに本体の第２の受部に当接してベースを本体に係止し、本体の第１の受部と第２の受部との間にベースを係止することにより、専用のフローティングロック機構が必要なく、本体内にフローティング状態に支持されるベースを係止可能とする。さらに、チャッキング解除時に、本体およびローディングローラ支持体のいずれか一方に設けたガイドピンと他方に設けた係合部とが係合し、本体に対するベースのディスク面と平行な方向の位置を位置決め係止する。
【０００９】
【発明の実施の形態】
以下、本発明の一実施の形態を図面を参照して説明する。
【００１０】
本実施の形態のディスクローディング装置を適用したディスクプレーヤで取り扱うディスクとしては、例えば、音楽再生用のコンパクトディスクであって、アルバムタイプの１２ｃｍのディスクおよびシングルタイプの８ｃｍのディスクを例にとって説明する。
【００１１】
図１において、11は本体としてのシャーシで、このシャーシ11は、一面側であって第１の受部としての天板12およびこの天板12の両側から折曲された側板13を有する断面略コ字形のフレーム14と、一面側と反対の他面側であってフレーム14の前側底部に取り付けられるフロントプレート15を備え、前面にディスクＤを挿脱する挿入口16が形成されている。
【００１２】
フレーム14の両側の側板13の後部にダンパー17，17が取り付けられているとともに、フロントプレート15に前側中央のダンパー17が取り付けられ、これらダンパー17，17，17によってシャーシ11内にベースとしてのピックベース18がフローティング状態に支持されている。
【００１３】
ピックベース18は、略四角形の略平板状に形成され、両側後部および両側前部に支持片19，20が上方へ折曲形成され、前側中央に支持片21が下方へ折曲形成されている。両側後部の支持片19の外面にダンパーピン22が突設され、前側中央部の支持片21の前面にダンパーピン22が突設され、これら各ダンパーピン22，22，22が各ダンパー17，17，17に連結されている。また、ピックベース18の後部両側および前部両側の４箇所がフレーム14に対して吊りばね23で吊下げられ、これら複数の吊りばね23でピックベース18およびこのピックベース18に配設される機構を含む質量が支えられる。さらに、ピックベース18の前端がフロントプレート15に対して位置補正ばね24で前方へ付勢されている。したがって、ピックベース18は、ダンパー17、吊りばね23および位置補正ばね24によって、フローティング状態に支持されている。
【００１４】
また、ピックベース18には、ディスク回転駆動機構31、図示しないピックアップ機構、ディスクチャック機構32およびディスクローディング機構33などが配設されている。
【００１５】
ディスク回転駆動機構31は、ピックベース18上のチャッキング位置に回転自在に配置されるターンテーブル36、ピックベース18の下面に取り付けられターンテーブル36を回転駆動するスピンドルモータ37を有している。
【００１６】
また、図示しないピックアップ機構は、ピックベース18上に配設されており、ディスクＤに記録された情報を光学的に読み取るピックアップおよびこのピックアップをディスクＤの径方向へ移動させるピックアップ移動機構を有している。
【００１７】
また、ディスクチャック機構32は、ピックベース18上の後部側に配置されるチャック体としてのチャックアーム41を有し、このチャックアーム41の前端中央にターンテーブル36との間にディスクＤをチャッキングするクランパ42が回転可能に取り付けられている。チャックアーム41の両側後部に取付片43が下方へ折曲形成され、これら両側の取付片43がピックベース18の両側後部の支持片19の内面から突設された支軸44によって回動可能に軸支されており、チャッキング時にチャックアーム41の前端側が下方へ揺動されてディスクＤがチャッキングされ、チャッキング解除時にチャックアーム41の前端側が上方へ揺動されてディスクＤのチャッキングが解除される。
【００１８】
チャックアーム41の前端両側近傍位置には、チャッキング解除時にチャックアーム41の前端側が上方へ揺動された際に、天板12に当接して押圧する当接部45が突出形成されている。
【００１９】
チャックアーム41の内側で両側近傍位置には、８ｃｍのディスクがディスクローディング機構33によってローディングされた場合にそのディスクをチャッキング位置に停止させるストッパ46が取り付けられている。また、チャックアーム41の後部の両側位置には、１２ｃｍのディスクＤがディスクローディング機構33によってローディングされた場合にそのディスクＤをチャッキング位置に停止させる径大ディスク用ストッパが取り付けられている。なお、１２ｃｍのディスクＤはディスクローディング機構33によって径小ディスク用ストッパ46の下側を通過されてチャッキング位置にローディングされる。
【００２０】
また、ディスクローディング機構33は、挿入口16の上側に配置されてフレーム14に取り付けられるトップガイド51、および挿入口16の下側に配置されてトップガイド51との間にディスクＤを挟持して移動させるローディングローラ52を有している。
【００２１】
ローディングローラ52は、例えばゴムローラで、シャフト53が貫通されており、このシャフト53の一端に取り付けられたギヤ54に図示しない駆動機構のモータからの回転駆動力が伝達されてローディング方向またはアンローディング方向に回転される。
【００２２】
ローディングローラ52はローディングローラ支持体としてのアップレバー55によって支持されている。このアップレバー55は、横長の基部56およびこの基部56の両側から上方へ折曲された取付片57を有し、これら両側の取付片57によってローディングローラ52のシャフト53が回転自在に軸支されているとともに、両側の取付片57がピックベース18の両側前部の支持片20の内面から突設された支軸58によって回動可能に軸支されている。そして、アップレバー55により、チャッキング時にローディングローラ52が下降されてディスクＤとの離反位置に移動され、チャッキング解除時にローディングローラ52が上昇されてディスクＤとの接触位置に移動される。
【００２３】
アップレバー55の基部56の両端近傍には、ローディングローラ52が上昇されてディスクＤとの接触位置に移動されるチャッキング解除時に、シャーシ11のフロントプレート15側に当接して押圧する当接部59が下方に突設されているとともに、シャーシ11のフロントプレート15側と係合してシャーシ11に対するピックベース18のディスク面と平行な方向の位置を位置決め係止するガイドピン60が突設されている。
【００２４】
シャーシ11のフロントプレート15には、両側の当接部59の各位置に対応して、チャッキング解除時に各当接部59が当接する第２の受部としてのガイド片61が形成され、これらガイド片61は、フロントプレート15の前端から後方へ向けて上昇傾斜される導入面62、およびこの導入面62の後端から後方へ向けて略水平に延設される受面63を有している。
【００２５】
シャーシ11のフロントプレート15には、チャッキング解除時にガイドピン60と係合してシャーシ11に対するピックベース18のディスク面と平行な方向の位置を位置決め係止する係合部64が設けられている。この係合部64は、フロントプレート15の後縁から立ち上げられるとともに前方へ折曲された略Ｌ字形の係合片65を有し、この係合片65の前端側にガイドピン60が係合されるロック溝66が形成されている。ロック溝66の前端側は前方へ向けて拡開形成されている。
【００２６】
また、チャックアーム41およびアップレバー55は、ディスクＤのローディング動作に伴って駆動機構からの駆動を受けてスライドされる図示しないスライダのスライド位置に応じて動作される。すなわち、チャッキング位置にローディングされるディスクＤのチャッキング時に、スライダがチャッキング解除位置からチャッキング位置へ移動することにより、アップレバー55がローディングローラ52の下降方向へ回動されてローディングローラ52がディスクＤから離反され、チャックアーム41が下方へ回動されてクランパ42でディスクＤがターンテーブル36に押圧されてチャッキングされ、また、ディスクＤをアンローディングするチャッキング解除時に、スライダがチャッキング位置からチャッキング解除位置へ移動することにより、チャックアーム41が上方へ回動されてディスクＤのチャッキングが解除され、アップレバー55がローディングローラ52の上昇方向へ回動されてローディングローラ52がディスクＤに接触される。
【００２７】
次に、ディスクプレーヤの作用を説明する。
【００２８】
図３に示すように、ディスクＤの再生状態つまりチャッキング状態においては、スライダがチャッキング解除位置からチャッキング位置へ移動しており、アップレバー55がローディングローラ52の下降方向へ回動し、ローディングローラ52が下方の離反位置へ移動してディスクＤから離反し、また、チャックアーム41が下方へ回動し、クランパ42でディスクＤをターンテーブル36に押圧してチャッキングしている。
【００２９】
そして、図３に示すディスクＤの再生つまりチャッキング状態から、図２に示すように、ディスクＤをアンローディングするときには、スライダがチャッキング位置からチャッキング解除位置へ移動することにより、チャックアーム41が支軸44を中心として上方へ回動し、クランパ42がディスクＤから離反してチャッキングを解除し、さらに、チャックアーム41の当接部45がシャーシ11の天板12の下面に当接して押圧し、ピックベース18の中央付近をシャーシ11に対して下方へ押し下げる。
【００３０】
アップレバー55が支軸58を中心としてローディングローラ52の上昇方向へ回動し、ローディングローラ52がディスクＤに当接してこのディスクＤをトップガイド51との間に挟持する。このとき、アップレバー55の当接部59がシャーシ11のフロントプレート15に設けられたガイド片61に当接して押圧し、ピックベース18の挿入口16側の前端をシャーシ11に対して上方へ押し上げる。さらに、アップレバー55のガイドピン60がシャーシ11のフロントプレート15に設けられた係合部64のロック溝66に係合し、ディスク挿入方向と直交する方向でかつディスク面に平行な方向の位置を位置決め固定する。
【００３１】
このように、ディスクＤのチャッキング解除に伴うチャックアーム41およびアップレバー55の回動により、シャーシ11内にフローティング状態に支持されたピックベース18のフローティングロックが完了し、ディスクＤのチャッキング位置と挿入口16の位置とが位置決めされ、ローディング機構33によってディスクＤが挿入口16から前方へ確実にアンローディングされる。
【００３２】
また、図２に示すディスクＤの未装着状態つまりチャッキング解除状態から、図３に示すように、ディスクＤをローディングして再生状態つまりチャッキング状態にするときには、挿入口16に挿入されたディスクＤをローディング機構33でピックベース18上のチャッキング位置にローディングした後、スライダがチャッキング解除位置からチャッキング位置へ移動することにより、アップレバー55が支軸58を中心としてローディングローラ52の下降方向へ回動し、ローディングローラ52がディスクＤから離反する。このとき、アップレバー55の当接部59がシャーシ11のフロントプレート15に設けられたガイド片61から離反し、ピックベース18の挿入口16側の前端のシャーシ11に対する上方への押し上げを解除し、さらに、アップレバー55のガイドピン60がシャーシ11のフロントプレート15に設けられた係合部64のロック溝66から離反し、シャーシ11に対する位置決め固定を解除する。
【００３３】
チャックアーム41が支軸44を中心として下方へ回動し、チャックアーム41の当接部45がシャーシ11の天板12から離反し、ピックベース18の中央付近のシャーシ11に対する下方への押し下げを解除し、クランパ42でディスクＤをターンテーブル36に押圧してチャッキングする。
【００３４】
このように、ディスクＤのチャッキングに伴うチャックアーム41およびアップレバー55の回動により、ピックベース18のフローティングロックが解除され、ピックベース18をフローティング状態に支持できる。
【００３５】
以上のように、チャッキング時にディスクＤをチャッキングするチャックアーム41が、チャッキング解除時にディスクＤのチャッキングを解除するとともにシャーシ11の天板12に当接し、かつ、チャッキング時にローディングローラ52をディスクＤとの離反位置に移動させるアップレバー55が、チャッキング解除時にローディングローラ52をディスクＤとの接触位置に移動させるとともに、アップレバー55の当接部59がシャーシ11のガイド片61に当接するので、ピックベース18をフローティングロック状態に係止でき、しかも、専用のフローティングロック機構が必要なくなって部品点数を削減でき、組み込みが簡単で、装置の動作も単純にできる。
【００３６】
さらに、チャッキング解除時に、アップレバー55のガイドピン60とシャーシ11側の係合部64とが係合し、シャーシ11に対するピックベース18のディスク面と平行な方向の位置を位置決め係止できる。また、アップレバー55に係合部64を設け、シャーシ11側にガイドピン60を設けても、同様の作用効果が得られる。
【００３７】
なお、ディスクローディング装置で取り扱うディスクには、音楽用の再生専用のコンパクトディスクに限らず、ＤＶＤなどの光学ディスク、ＭＤなどの光磁気ディスク、フレキシブル磁気ディスクなどにも適用でき、同様の作用効果が得られる。また、駆動装置は、ディスクプレーヤに限らず、ディスクに対して記録可能なディスク記録再生装置にも適用でき、同様の作用効果が得られる。
【００３８】
【発明の効果】
請求項１記載のディスクローディング装置によれば、チャッキング時にディスクをチャッキングするチャック体が、チャッキング解除時にディスクのチャッキングを解除するとともに本体の第１の受部に当接してベースを本体に係止し、かつ、チャッキング時にローディングローラをディスクとの離反位置に移動させるローディングローラ支持体が、チャッキング解除時にローディングローラをディスクとの接触位置に移動させるとともに本体の第２の受部に当接してベースを本体に係止し、本体の第１の受部と第２の受部との間にベースを係止するので、専用のフローティングロック機構が必要なく、本体内にフローティング状態に支持されるベースを簡単な構成で係止できる。さらに、チャッキング解除時に、本体およびローディングローラ支持体のいずれか一方に設けたガイドピンと他方に設けた係合部とが係合し、本体に対するベースのディスク面と平行な方向の位置を位置決め係止できる。
【図面の簡単な説明】
【図１】  本発明の一実施の形態を示すディスクローディング装置を適用したディスクプレーヤの分解状態の斜視図である。
【図２】  同上ディスクプレーヤのチャッキング解除状態を示し、(a)は平面図、(b)は正面図、(c)は側面図である。
【図３】  同上ディスクプレーヤのチャッキング状態を示し、(a)は平面図、(b)は側面図である。
【符号の説明】
11    本体としてのシャーシ
12    第１の受部としての天板
17    ダンパー
18    ベースとしてのピックベース
32    ディスクチャック機構
33    ディスクローディング機構
41    チャック体としてのチャックアーム
45 当接部
52    ローディングローラ
55    ローディングローラ支持体としてのアップレバー
59 当接部
60    ガイドピン
61    第２の受部としてのガイド片
64    係合部
Ｄ    ディスク
【図１】
0004043200.tif 000002
【図２】
0004043200.tif 000003
【図３】
0004043200.tif 000004